(57)【特許請求の範囲】
【請求項１】
公衆無線通信網を介してインターネットに接続する携帯電話機とインターネットに接続するホームページ提供者サーバーおよび文字コード提供者サーバーとを含む携帯電話機を利用した自動文字コード認識、表示システムであって、前記携帯電話機は、前記ホームページ提供者サーバーへアクセスするとき、前記ホームページ提供者サーバーへアクセス用データを送信する手段と、前記ホームページ提供者サーバーからホームページデータを受信し前記携帯電話機のホームページ文字コードの自動判定を行う手段と、前記携帯電話機のホームページ文字コードの自動判定結果に成功した場合に前記携帯電話機にすでにある文字コードかどうかの自動認識を行う手段と、前記携帯電話機にない文字コードと判断された場合に前記携帯電話機がユーザに新文字コードをダウンロードするかどうかの選択画面を提供する手段と、ユーザが前記携帯電話機に新文字コードをダウンロードすることを選択した場合に前記携帯電話機がメモリ空き容量の確認を行い、そして、メモリ空き容量が、前記新文字コードを記憶するために必要なメモリ容量未満である場合に前記携帯電話機がユーザに必要な空きメモリ容量を確保するために既存文字コードの一部を削除するかどうかの選択画面を提供する手段と、ユーザが前記携帯電話機に既存文字コードの一部を削除することを選択した場合に前記携帯電話機の所持者の操作により前記新文字コードを記憶するために必要な空きメモリ容量を確保するまで既存文字コードの中から不必要な文字コードを削除する手段と、前記携帯電話機は、新文字コードをダウンロードするために必要な空きメモリ容量を確保してから前記文字コード提供者サーバーへ新文字コードダウンロード要求用データを送信する手段と、前記文字コード提供者サーバーからダウンロード要求用データ処理結果を受信し前記携帯電話機の新文字コードのダウンロードを行う手段と、前記携帯電話機の新文字コードのダウンロードが成功した場合に前記携帯電話機の既存文字コード（ダウンロードされた新文字コードを含む）の中に最も適当な文字コードである携帯電話機がダウンロードした新文字コードでホームページを表示する手段とを備える、ことを特徴とする携帯電話機を利用した自動文字コード認識、表示システム。
【請求項２】
前記携帯電話機の既存の文字コードでホームページの内容を正常に表示できなかった場合には、ユーザがホームページ内容の再表示を行いたいとき、ホームページ提供者サーバーへ再アクセスする手段を備えることを特徴とする請求項１記載の携帯電話機を利用した自動文字コード認識、表示システム。
【請求項３】
前記文字コード提供者サーバーは、前記携帯電話機の所持者がいつでも利用できる文字コードデータの登録および前記携帯電話機の所持者からの新文字コードダウンロード要求に応じて必要な文字コードデータの提供を行う文字コードデータ管理・蓄積手段を備えることを特徴とする請求項１記載の携帯電話機を利用した自動文字コード認識、表示システム。
【請求項４】
前記携帯電話機のホームページ文字コードの自動判定に失敗した場合に前記携帯電話機の既存文字コードの中の最も適当な文字コードであるユーザ設定が可能なデフォルト文字コードでホームページを表示することを特徴とする請求項１記載の携帯電話機を利用した自動文字コード認識、表示システム。
【請求項５】
前記携帯電話機にすでにある文字コードと判断された場合に前記携帯電話機の既存文字コードの中の最も適当な文字コードである携帯電話機にすでにある文字コードでホームページを表示することを特徴とする請求項１記載の携帯電話機を利用した自動文字コード認識、表示システム。
【請求項６】
ユーザが前記携帯電話機に新文字コードをダウンロードしないことを選択した場合に前記携帯電話機の既存文字コードの中の最も適当な文字コードであるユーザ設定が可能なデフォルト文字コードでホームページを表示することを特徴とする請求項１記載の携帯電話機を利用した自動文字コード認識、表示システム。
【請求項７】
ユーザが前記携帯電話機に新文字コードをダウンロードすることを選択した場合に前記携帯電話機がメモリ空き容量の確認を行い、そして、メモリ空き容量が十分の場合に前記携帯電話機は前記文字コード提供者サーバーへ新文字コードダウンロード要求用データを送信する手段を備えることを特徴とする請求項１記載の携帯電話機を利用した自動文字コード認識、表示システム。
【請求項８】
ユーザが前記携帯電話機に新文字コードをダウンロードすることを選択した場合に前記携帯電話機がメモリ空き容量の確認を行い、そして、メモリ空き容量が十分ではない場合に前記携帯電話機がユーザに必要な空きメモリ容量を確保するために既存文字コードの一部を削除するかどうかの選択画面を表示されたとき、ユーザが前記携帯電話機に既存文字コードの一部を削除しないことを選択した場合に前記携帯電話機の既存文字コードの中の最も適当な文字コードであるユーザ設定が可能なデフォルト文字コードでホームページを表示することを特徴とする請求項１記載の携帯電話機を利用した自動文字コード認識、表示システム。
【請求項９】
前記携帯電話機の新文字コードのダウンロードが失敗した場合に前記携帯電話機の既存文字コードの中の最も適当な文字コードであるユーザ設定が可能なデフォルト文字コードでホームページを表示することを特徴とする請求項１記載の携帯電話機を利用した自動文字コード認識、表示システム。
【請求項１０】
公衆無線通信網を介してインターネットに接続する携帯電話機とインターネットに接続するホームページ提供者サーバーおよび文字コード提供者サーバーとを含む自動文字コード認識、表示システムにおける携帯電話機を利用した自動文字コード認識、表示方法であって、前記携帯電話機は、前記ホームページ提供者サーバーへアクセスするとき、前記ホームページ提供者サーバーへアクセス用データを送信し、前記ホームページ提供者サーバーからホームページデータを受信し前記携帯電話機のホームページ文字コードの自動判定を行い、前記携帯電話機のホームページ文字コードの自動判定に成功した場合に前記携帯電話機にすでにある文字コードかどうかの自動認識を行い、前記携帯電話機にない文字コードと判断された場合に前記携帯電話機がユーザに新文字コードをダウンロードするかどうかの選択画面を提供し、ユーザが前記携帯電話機に新文字コードをダウンロードすることを選択した場合に前記携帯電話機がメモリ空き容量の確認を行い、そして、メモリ空き容量が、前記新文字コードを記憶するために必要なメモリ容量未満である場合に前記携帯電話機がユーザに必要な空きメモリ容量を確保するために既存文字コードの一部を削除するかどうかの選択画面を提供し、ユーザが前記携帯電話機に既存文字コードの一部を削除することを選択した場合に前記携帯電話機の所持者の操作により前記新文字コードを記憶するために必要な空きメモリ容量を確保するまで既存文字コードの中から不必要な文字コードを削除し、前記携帯電話機は、新文字コードをダウンロードするために必要な空きメモリ容量を確保してから前記文字コード提供者サーバーへ新文字コードダウンロード要求用データを送信し、前記文字コード提供者サーバーからダウンロード要求用データ処理結果を受信し前記携帯電話機の新文字コードのダウンロードを行い、前記携帯電話機の新文字コードのダウンロードに成功した場合に前記携帯電話機の既存文字コード（ダウンロードされた新文字コードを含む）の中に最も適当な文字コードである携帯電話機がダウンロードした新文字コードでホームページを表示することを特徴とする携帯電話機を利用した自動文字コード認識、表示方法。
【請求項１１】
前記携帯電話機の既存の文字コードでホームページの内容を正常に表示できなかった場合には、ユーザがホームページ内容の再表示を行いたいとき、ホームページ提供者サーバーへ再アクセスすることを特徴とする請求項１０記載の携帯電話機を利用した自動文字コード認識、表示方法。
【請求項１２】
前記文字コード提供者サーバーは、前記携帯電話機の所持者がいつでも利用できる文字コードデータの登録および前記携帯電話機の所持者からの新文字コードダウンロード要求に応じて必要な文字コードデータを提供することを特徴とする請求項１０記載の携帯電話機を利用した自動文字コード認識、表示方法。
【請求項１３】
前記携帯電話機のホームページ文字コードの自動判定に失敗した場合に前記携帯電話機の既存文字コードの中の最も適当な文字コードであるユーザ設定が可能なデフォルト文字コードでホームページを表示することを特徴とする請求項１０記載の携帯電話機を利用した自動文字コード認識、表示方法。
【請求項１４】
前記携帯電話機にすでにある文字コードと判断された場合に前記携帯電話機の既存文字コードの中の最も適当な文字コードである携帯電話機にすでにある文字コードでホームページを表示することを特徴とする請求項１０記載の携帯電話機を利用した自動文字コード認識、表示方法。
【請求項１５】
ユーザが前記携帯電話機に新文字コードをダウンロードしないこと
を選択した場合に前記携帯電話機の既存文字コードの中の最も適当な文字コードであるユーザ設定が可能なデフォルト文字コードでホームページを表示することを特徴とする請求項１０記載の携帯電話機を利用した自動文字コード認識、表示方法。
【請求項１６】
ユーザが前記携帯電話機に新文字コードをダウンロードすることを選択した場合に前記携帯電話機がメモリ空き容量の確認を行い、そして、メモリ空き容量が十分の場合に前記携帯電話機は前記文字コード提供者サーバーへ新文字コードダウンロード要求用データを送信することを特徴とする請求項１０記載の携帯電話機を利用した自動文字コード認識、表示方法。
【請求項１７】
ユーザが前記携帯電話機に新文字コードをダウンロードすることを選択した場合に前記携帯電話機がメモリ空き容量の確認を行い、そして、メモリ空き容量が十分ではない場合に前記携帯電話機がユーザに必要な空きメモリ容量を確保するために既存文字コードの一部を削除するかどうかの選択画面を表示されたとき、ユーザが前記携帯電話機に既存文字コードの一部を削除しないことを選択した場合に前記携帯電話機の既存文字コードの中の最も適当な文字コードであるユーザ設定が可能なデフォルト文字コードでホームページを表示することを特徴とする請求項１０記載の携帯電話機を利用した自動文字コード認識、表示方法。
【請求項１８】
前記携帯電話機の新文字コードのダウンロードが失敗した場合に前記携帯電話機の既存文字コードの中の最も適当な文字コードであるユーザ設定が可能なデフォルト文字コードでホームページを表示することを特徴とする請求項１０記載の携帯電話機を利用した自動文字コード認識、表示方法。
【請求項１９】
公衆無線通信網を介してインターネットに接続する携帯電話機とインターネットに接続するホームページ提供者サーバーおよび文字コード提供者サーバーとを含む自動文字コード認識、表示システムにおける携帯電話機を利用した自動文字コード認識、表示プログラムであって、前記携帯電話機に、前記携帯電話機が前記ホームページ提供者サーバーへアクセスするとき、前記ホームページ提供者サーバーへアクセス用データを送信する機能、前記ホームページ提供者サーバーからホームページデータを受信し前記携帯電話機のホームページ文字コードの自動判定を行う機能、前記携帯電話機のホームページ文字コードの自動判定に成功した場合に前記携帯電話機にすでにある文字コードかどうかの自動認識を行う機能、前記携帯電話機にない文字コードと判断された場合に前記携帯電話機がユーザに新文字コードをダウンロードするかどうかの選択画面を提供する機能、ユーザが前記携帯電話機に新文字コードをダウンロードすることを選択した場合に前記携帯電話機がメモリ空き容量の確認を行い、そして、メモリ空き容量が、前記新文字コードを記憶するために必要なメモリ容量未満である場合に前記携帯電話機がユーザに必要な空きメモリ容量を確保するために既存文字コードの一部を削除するかどうかの選択画面を提供する機能、ユーザが前記携帯電話機に既存文字コードの一部を削除することを選択した場合に前記携帯電話機の所持者の操作により前記新文字コードを記憶するために必要な空きメモリ容量を確保するまで既存文字コードの中から不必要な文字コードを削除し、前記携帯電話機は、新文字コードをダウンロードするために必要な空きメモリ容量を確保してから前記文字コード提供者サーバーへ新文字コードダウンロード要求用データを送信する機能、前記文字コード提供者サーバーからダウンロード要求用データ処理結果を受信し前記携帯電話機の新文字コードのダウンロードを行う機能、前記携帯電話機の新文字コードのダウンロードに成功した場合に前記携帯電話機の既存文字コード（ダウンロードされた新文字コードを含む）の中に最も適当な文字コードであるダウンロードされた新文字コードでホームページを表示する機能、を実現させるための携帯電話機を利用した自動文字コード認識、表示プログラム。
【請求項２０】
前記携帯電話機の既存の文字コードでホームページの内容を正常に表示できなかった場合には、ユーザがホームページ内容の再表示を行いたいとき、ホームページ提供者サーバーへ再アクセスする機能を実現させるための請求項１９記載の携帯電話機を利用した自動文字コード認識、表示プログラム。
【請求項２１】
前記文字コード提供者サーバーは、前記携帯電話機の所持者がいつでも利用できる文字コードデータの登録および前記携帯電話機の所持者からの新文字コードダウンロード要求に応じて必要な文字コードデータを提供する機能を実現させるための請求項１９記載の携帯電話機を利用した自動文字コード認識、表示プログラム。
【請求項２２】
前記携帯電話機のホームページ文字コードの自動判定に失敗した場合に前記携帯電話機の既存文字コードの中の最も適当な文字コードであるユーザ設定が可能なデフォルト文字コードでホームページを表示する機能を実現させるための請求項１９記載の携帯電話機を利用した自動文字コード認識、表示プログラム。
【請求項２３】
前記携帯電話機にすでにある文字コードと判断された場合に前記携帯電話機の既存文字コードの中の最も適当な文字コードであるすでにある文字コードでホームページを表示する機能を実現させるための請求項１９記載の携帯電話機を利用した自動文字コード認識、表示プログラム。
【請求項２４】
ユーザが前記携帯電話機に新文字コードをダウンロードしないことを選択した場合に前記携帯電話機の既存文字コードの中の最も適当な文字コードであるユーザ設定が可能なデフォルト文字コードでホームページを表示する機能を実現させるための請求項１９記載の携帯電話機を利用した自動文字コード認識、表示プログラム。
【請求項２５】
ユーザが前記携帯電話機に新文字コードをダウンロードすることを選択した場合に前記携帯電話機がメモリ空き容量の確認を行い、そして、メモリ空き容量が十分の場合に前記携帯電話機は前記文字コード提供者サーバーへ新文字コードダウンロード要求用データを送信する機能を実現させるための請求項１９記載の携帯電話機を利用した自動文字コード認識、表示プログラム。
【請求項２６】
ユーザが前記携帯電話機に新文字コードをダウンロードすることを選択した場合に前記携帯電話機がメモリ空き容量の確認を行い、そして、メモリ空き容量が十分ではない場合に前記携帯電話機がユーザに必要な空きメモリ容量を確保するために既存文字コードの一部を削除するかどうかの選択画面を表示されたとき、ユーザが前記携帯電話機に既存文字コードの一部を削除しないことを選択した場合に前記携帯電話機の既存文字コードの中の最も適当な文字コードであるユーザ設定が可能なデフォルト文字コードでホームページを表示する機能を実現させるための請求項１９記載の携帯電話機を利用した自動文字コード認識、表示プログラム。
【請求項２７】
前記携帯電話機の新文字コードのダウンロードが失敗した場合に前記携帯電話機の既存文字コードの中の最も適当な文字コードであるユーザ設定が可能なデフォルト文字コードでホームページを表示する機能を実現させるための請求項１９記載の携帯電話機を利用した自動文字コード認識、表示プログラム。
【発明の詳細な説明】
【技術分野】
【０００１】
本発明は、自動文字コード認識、表示システム、方法およびプログラムに関し、特に公衆無線通信網を介してインターネットに接続できる携帯電話機の所持者から任意のホームページ提供者サーバーへアクセスするとき、ホームページの文字コードが認識でき、そして、携帯電話機にある適当な文字コードを選択して、ホームページの内容を正常に表示できる、携帯電話機を利用した自動文字コード認識、表示システム、方法およびプログラムに関する。
【背景技術】
【０００２】
従来の文字コード認識、表示システムでは、特定の文字コードのホームページのみが正常に表示できているが、それ以外の文字コードのホームページを表示するとき、表示したいホームページの文字コードを持つ新しい携帯電話機を買う必要がある。
【０００３】
なお、本発明に関連する先行技術文献としては以下のものがあげられる。
【特許文献１】特開２０００−２５０８９９号公報
【特許文献２】特開２００２−２５９２８１号公報
【特許文献３】特開２００３−１１４８４４号公報
【特許文献４】特開平１０−２４０６４７号公報
【特許文献５】特開２００３−２０８３８３号公報
【発明の開示】
【発明が解決しようとする課題】
【０００４】
しかしながら、上述した従来の文字コード認識、表示システムでは、以下のような問題点があった。
【０００５】
すなわち、ユーザが特定の文字コード以外のホームページを表示するとき、表示したいホームページの文字コードがユーザの携帯電話機にないため、その文字コードを持つ新しい携帯電話機を買う必要があった。
【０００６】
そこで、本発明は、上述した従来の問題点を解消すべく、随時インターネットに接続できるユーザの携帯電話機によりホームページ提供者サーバーへアクセスするとき、アクセス先のホームページの文字コードを判定し、そして、その判定結果に基づいて携帯電話機にある文字コードを選択して、ホームページの内容を表示する。さらに、表示したいホームページの文字コードがユーザの携帯電話機にない場合には、その文字コードを持つ新しい携帯電話機を買う必要がなく、インターネットを介して文字コード提供者サーバーから必要な新文字コードをダウンロードできる、携帯電話機を利用した自動文字コード認識、表示システム、方法およびプログラムを提供することを目的とする。
【課題を解決するための手段】
【０００７】
本願第１の発明の携帯電話機を利用した自動文字コード認識、表示システムは、公衆無線通信網を介してインターネットに接続する携帯電話機とインターネットに接続するホームページ提供者サーバーおよび文字コード提供者サーバーとを含む携帯電話機を利用した自動文字コード認識、表示システムであって、前記携帯電話機は、前記ホームページ提供者サーバーへアクセスするとき、前記ホームページ提供者サーバーへアクセス用データを送信する手段と、前記ホームページ提供者サーバーからホームページデータを受信し前記携帯電話機のホームページ文字コードの自動判定を行う手段と、前記携帯電話機のホームページ文字コードの自動判定に成功した場合に前記携帯電話機にすでにある文字コードかどうかの自動認識を行う手段と、前記携帯電話機にない文字コードと判断された場合に前記携帯電話機がユーザに新文字コードをダウンロードするかどうかの選択画面を提供する手段と、ユーザが前記携帯電話機に新文字コードをダウンロードすることを選択した場合に前記携帯電話機がメモリ空き容量の確認を行い、そして、メモリ空き容量が、前記新文字コードを記憶するために必要なメモリ容量未満である場合に前記携帯電話機がユーザに必要な空きメモリ容量を確保するために既存文字コードの一部を削除するかどうかの選択画面を提供する手段と、ユーザが前記携帯電話機に既存文字コードの一部を削除することを選択した場合に前記携帯電話機の所持者の操作により前記新文字コードを記憶するために必要な空きメモリ容量を確保するまで既存文字コードの中から不必要な文字コードを削除する手段と、前記携帯電話機は、新文字コードをダウンロードするために必要な空きメモリ容量を確保してから前記文字コード提供者サーバーへ新文字コードダウンロード要求用データを送信する手段と、前記文字コード提供者サーバーからダウンロード要求用データ処理結果を受信し前記携帯電話機の新文字コードのダウンロードを行う手段と、前記携帯電話機の新文字コードのダウンロードに成功した場合に前記携帯電話機の既存文字コード（ダウンロードされた新文字コードを含む）の中に最も適当な文字コード（この場合は携帯電話機がダウンロードされた新文字コードを選択する。）でホームページを表示する手段とを備える。
【０００８】
本願第２の発明の携帯電話機を利用した自動文字コード認識、表示システムは、第１の発明において前記携帯電話機の既存の文字コードでホームページの内容を正常に表示できなかった場合には、ユーザがホームページ内容の再表示を行いたいとき、ホームページ提供者サーバーへ再アクセスする手段を備えることを特徴とする。
【０００９】
本願第３の発明の携帯電話機を利用した自動文字コード認識、表示システムは、第１の発明において前記文字コード提供者サーバーは、前記携帯電話機の所持者がいつでも利用できる文字コードデータの登録および前記携帯電話機の所持者からの新文字コードダウンロード要求に応じて必要な文字コードデータの提供を行う文字コードデータ管理・蓄積手段を備える。
【００１０】
本願第４の発明の携帯電話機を利用した自動文字コード認識、表示システムは、第１の発明において前記携帯電話機のホームページ文字コードの自動判定に失敗した場合に前記携帯電話機の既存文字コードの中の最も適当な文字コード（この場合は携帯電話機がデフォルト文字コード（ユーザ設定が可能）を選択する。）でホームページを表示する、ことを特徴とする。
【００１１】
本願第５の発明の携帯電話機を利用した自動文字コード認識、表示システムは、第１の発明において前記携帯電話機にすでにある文字コードと判断された場合に前記携帯電話機の既存文字コードの中の最も適当な文字コード（この場合は携帯電話機がそのすでにある文字コードを選択する。）でホームページを表示する、ことを特徴とする。
【００１２】
本願第６の発明の携帯電話機を利用した自動文字コード認識、表示システムは、第１の発明においてユーザが前記携帯電話機に新文字コードをダウンロードしないことを選択した場合に前記携帯電話機の既存文字コードの中の最も適当な文字コード（この場合は携帯電話機がデフォルト文字コード（ユーザ設定が可能）を選択する。）でホームページを表示する、ことを特徴とする。
【００１３】
本願第７の発明の携帯電話機を利用した自動文字コード認識、表示システムは、第１の発明においてユーザが前記携帯電話機に新文字コードをダウンロードすることを選択した場合に前記携帯電話機がメモリ空き容量の確認を行い、そして、メモリ空き容量が十分の場合に前記携帯電話機は前記文字コード提供者サーバーへ新文字コードダウンロード要求用データを送信する手段を備えることを特徴とする。
【００１４】
本願第８の発明の携帯電話機を利用した自動文字コード認識、表示システムは、第１の発明においてユーザが前記携帯電話機に新文字コードをダウンロードすることを選択した場合に前記携帯電話機がメモリ空き容量の確認を行い、そして、メモリ空き容量が十分ではない場合に前記携帯電話機がユーザに必要な空きメモリ容量を確保するために既存文字コードの一部を削除するかどうかの選択画面を表示されたとき、ユーザが前記携帯電話機に既存文字コードの一部を削除しないことを選択した場合に前記携帯電話機の既存文字コードの中の最も適当な文字コード（この場合は携帯電話機がデフォルト文字コード（ユーザ設定が可能）を選択する。）でホームページを表示する、ことを特徴とする。
【００１５】
本願第９の発明の携帯電話機を利用した自動文字コード認識、表示システムは、第１の発明において前記携帯電話機の新文字コードのダウンロードが失敗した場合に前記携帯電話機の既存文字コードの中の最も適当な文字コード（この場合は携帯電話機がデフォルト文字コード（ユーザ設定が可能）を選択する。）でホームページを表示する、ことを特徴とする。
【００１６】
本願第１０の発明の携帯電話機を利用した自動文字コード認識、表示方法は、公衆無線通信網を介してインターネットに接続する携帯電話機とインターネットに接続するホームページ提供者サーバーおよび文字コード提供者サーバーとを含む自動文字コード認識、表示システムにおける携帯電話機を利用した自動文字コード認識、表示方法であって、前記携帯電話機は、前記ホームページ提供者サーバーへアクセスするとき、前記ホームページ提供者サーバーへアクセス用データを送信し、前記ホームページ提供者サーバーからホームページデータを受信し前記携帯電話機のホームページ文字コードの自動判定を行い、前記携帯電話機のホームページ文字コードの自動判定に成功した場合に前記携帯電話機にすでにある文字コードかどうかの自動認識を行い、前記携帯電話機にない文字コードと判断された場合に前記携帯電話機がユーザに新文字コードをダウンロードするかどうかの選択画面を提供し、ユーザが前記携帯電話機に新文字コードをダウンロードすることを選択した場合に前記携帯電話機がメモリ空き容量の確認を行い、そして、メモリ空き容量が、前記新文字コードを記憶するために必要なメモリ容量未満である場合に前記携帯電話機がユーザに必要な空きメモリ容量を確保するために既存文字コードの一部を削除するかどうかの選択画面を提供し、ユーザが前記携帯電話機に既存文字コードの一部を削除することを選択した場合に前記携帯電話機の所持者の操作により前記新文字コードを記憶するために必要な空きメモリ容量を確保するまで既存文字コードの中から不必要な文字コードを削除し、前記携帯電話機は、新文字コードをダウンロードするために必要な空きメモリ容量を確保してから前記文字コード提供者サーバーへ新文字コードダウンロード要求用データを送信し、前記文字コード提供者サーバーからダウンロード要求用データ処理結果を受信し前記携帯電話機の新文字コードのダウンロードを行い、前記携帯電話機の新文字コードのダウンロードに成功した場合に前記携帯電話機の既存文字コード（ダウンロードされた新文字コードを含む）の中に最も適当な文字コード（この場合は携帯電話機がダウンロードされた新文字コードを選択する。）でホームページを表示する、ことを特徴とする。
【００１７】
本願第１１の発明の携帯電話機を利用した自動文字コード認識、表示方法は、第１０の発明において前記携帯電話機の既存の文字コードでホームページの内容を正常に表示できなかった場合には、ユーザがホームページ内容の再表示を行いたいとき、ホームページ提供者サーバーへ再アクセスすることを特徴とする。
【００１８】
本願第１２の発明の携帯電話機を利用した自動文字コード認識、表示方法は、第１０の発明において前記文字コード提供者サーバーは、前記携帯電話機の所持者がいつでも利用できる文字コードデータの登録および前記携帯電話機の所持者からの新文字コードダウンロード要求に応じて必要な文字コードデータを提供することを特徴とする。
【００１９】
本願第１３の発明の携帯電話機を利用した自動文字コード認識、表示方法は、第１０の発明において前記携帯電話機のホームページ文字コードの自動判定に失敗した場合に前記携帯電話機の既存文字コードの中の最も適当な文字コード（この場合は携帯電話機がデフォルト文字コード（ユーザ設定が可能）を選択する。）でホームページを表示することを特徴とする。
【００２０】
本願第１４の発明の携帯電話機を利用した自動文字コード認識、表示方法は、第１０の発明において前記携帯電話機にすでにある文字コードと判断された場合に前記携帯電話機の既存文字コードの中の最も適当な文字コード（この場合は携帯電話機がそのすでにある文字コードを選択する。）でホームページを表示することを特徴とする。
【００２１】
本願第１５の発明の携帯電話機を利用した自動文字コード認識、表示方法は、第１０の発明においてユーザが前記携帯電話機に新文字コードをダウンロードしないことを選択した場合に前記携帯電話機の既存文字コードの中の最も適当な文字コード（この場合は携帯電話機がデフォルト文字コード（ユーザ設定が可能）を選択する。）でホームページを表示することを特徴とする。
【００２２】
本願第１６の発明の携帯電話機を利用した自動文字コード認識、表示方法は、第１０の発明においてユーザが前記携帯電話機に新文字コードをダウンロードすることを選択した場合に前記携帯電話機がメモリ空き容量の確認を行い、そして、メモリ空き容量が十分の場合に前記携帯電話機は前記文字コード提供者サーバーへ新文字コードダウンロード要求用データを送信することを特徴とする。
【００２３】
本願第１７の発明の携帯電話機を利用した自動文字コード認識、表示方法は、第１０の発明においてユーザが前記携帯電話機に新文字コードをダウンロードすることを選択した場合に前記携帯電話機がメモリ空き容量の確認を行い、そして、メモリ空き容量が十分ではない場合に前記携帯電話機がユーザに必要な空きメモリ容量を確保するために既存文字コードの一部を削除するかどうかの選択画面を表示されたとき、ユーザが前記携帯電話機に既存文字コードの一部を削除しないことを選択した場合に前記携帯電話機の既存文字コードの中の最も適当な文字コード（この場合は携帯電話機がデフォルト文字コード（ユーザ設定が可能）を選択する。）でホームページを表示することを特徴とする。
【００２４】
本願第１８の発明の携帯電話機を利用した自動文字コード認識、表示方法は、第１０の発明において前記携帯電話機の新文字コードのダウンロードが失敗した場合に前記携帯電話機の既存文字コードの中の最も適当な文字コード（この場合は携帯電話機がデフォルト文字コード（ユーザ設定が可能）を選択する。）でホームページを表示することを特徴とする。
【００２５】
本願第１９の発明の携帯電話機を利用した自動文字コード認識、表示プログラムは、公衆無線通信網を介してインターネットに接続する携帯電話機とインターネットに接続するホームページ提供者サーバーおよび文字コード提供者サーバーとを含む自動文字コード認識、表示システムにおける携帯電話機を利用した自動文字コード認識、表示プログラムであって、前記携帯電話機に、前記携帯電話機が前記ホームページ提供者サーバーへアクセスするとき、前記ホームページ提供者サーバーへアクセス用データを送信する機能、前記ホームページ提供者サーバーからホームページデータを受信し前記携帯電話機のホームページ文字コードの自動判定を行う機能、前記携帯電話機のホームページ文字コードの自動判定に成功した場合に前記携帯電話機にすでにある文字コードかどうかの自動認識を行う機能、前記携帯電話機にない文字コードと判断された場合に前記携帯電話機がユーザに新文字コードをダウンロードするかどうかの選択画面を提供する機能、ユーザが前記携帯電話機に新文字コードをダウンロードすることを選択した場合に前記携帯電話機がメモリ空き容量の確認を行い、そして、メモリ空き容量が、前記新文字コードを記憶するために必要なメモリ容量未満である場合に前記携帯電話機がユーザに必要な空きメモリ容量を確保するために既存文字コードの一部を削除するかどうかの選択画面を提供する機能、ユーザが前記携帯電話機に既存文字コードの一部を削除することを選択した場合に前記携帯電話機の所持者の操作により前記新文字コードを記憶するために必要な空きメモリ容量を確保するまで既存文字コードの中から不必要な文字コードを削除し、前記携帯電話機は、新文字コードをダウンロードするために必要な空きメモリ容量を確保してから前記文字コード提供者サーバーへ新文字コードダウンロード要求用データを送信する機能、前記文字コード提供者サーバーからダウンロード要求用データ処理結果を受信し前記携帯電話機の新文字コードのダウンロードを行う機能、前記携帯電話機の新文字コードのダウンロードに成功した場合に前記携帯電話機の既存文字コード（ダウンロードされた新文字コードを含む）の中に最も適当な文字コード（この場合は携帯電話機がダウンロードされた新文字コードを選択する。）でホームページを表示する機能、を実現させる。
【００２６】
本願第２０の発明の携帯電話機を利用した自動文字コード認識、表示プログラムは、第１９の発明において前記携帯電話機の既存の文字コードでホームページの内容を正常に表示できなかった場合には、ユーザがホームページ内容の再表示を行いたいとき、ホームページ提供者サーバーへ再アクセスする機能を実現させる。
【００２７】
本願第２１の発明の携帯電話機を利用した自動文字コード認識、表示プログラムは、第１９の発明において前記文字コード提供者サーバーは、前記携帯電話機の所持者がいつでも利用できる文字コードデータの登録および前記携帯電話機の所持者からの新文字コードダウンロード要求に応じて必要な文字コードデータを提供する機能を実現させる。
本願第２２の発明の携帯電話機を利用した自動文字コード認識、表示プログラムは、第１９の発明において前記携帯電話機のホームページ文字コードの自動判定に失敗した場合に前記携帯電話機の既存文字コードの中の最も適当な文字コード（この場合は携帯電話機がデフォルト文字コード（ユーザ設定が可能）を選択する。）でホームページを表示する機能を実現させる。
【００２８】
本願第２３の発明の携帯電話機を利用した自動文字コード認識、表示プログラムは、第１９の発明において前記携帯電話機にすでにある文字コードと判断された場合に前記携帯電話機の既存文字コードの中の最も適当な文字コード（この場合は携帯電話機がそのすでにある文字コードを選択する。）でホームページを表示する機能を実現させる。
【００２９】
本願第２４の発明の携帯電話機を利用した自動文字コード認識、表示プログラムは、第１９の発明においてユーザが前記携帯電話機に新文字コードをダウンロードしないことを選択した場合に前記携帯電話機の既存文字コードの中の最も適当な文字コード（この場合は携帯電話機がデフォルト文字コード（ユーザ設定が可能）を選択する。）でホームページを表示する機能を実現させる。
【００３０】
本願第２５の発明の携帯電話機を利用した自動文字コード認識、表示プログラムは、第１９の発明においてユーザが前記携帯電話機に新文字コードをダウンロードすることを選択した場合に前記携帯電話機がメモリ空き容量の確認を行い、そして、メモリ空き容量が十分の場合に前記携帯電話機は前記文字コード提供者サーバーへ新文字コードダウンロード要求用データを送信する機能を実現させる。
【００３１】
本願第２６の発明の携帯電話機を利用した自動文字コード認識、表示プログラムは、第１９の発明においてユーザが前記携帯電話機に新文字コードをダウンロードすることを選択した場合に前記携帯電話機がメモリ空き容量の確認を行い、そして、メモリ空き容量が十分ではない場合に前記携帯電話機がユーザに必要な空きメモリ容量を確保するために既存文字コードの一部を削除するかどうかの選択画面を表示されたとき、ユーザが前記携帯電話機に既存文字コードの一部を削除しないことを選択した場合に前記携帯電話機の既存文字コードの中の最も適当な文字コード（この場合は携帯電話機がデフォルト文字コード（ユーザ設定が可能）を選択する。）でホームページを表示する機能を実現させる。
【００３２】
本願第２７の発明の携帯電話機を利用した自動文字コード認識、表示プログラムは、第１９の発明において前記携帯電話機の新文字コードのダウンロードが失敗した場合に前記携帯電話機の既存文字コードの中の最も適当な文字コード（この場合は携帯電話機がデフォルト文字コード（ユーザ設定が可能）を選択する。）でホームページを表示する機能を実現させる。
【発明の効果】
【００３３】
第１の効果は、ユーザは、表示したいホームページの文字コードが手持ちの携帯電話機にない場合でも新しい携帯電話機を買う必要がなく、いつでも、どこでも、インターネットを介して文字コード提供者サーバーから必要な新文字コードをダウンロードでき、そして、すぐそのホームページを表示することができることである。
【００３４】
その理由は、文字コード提供者サーバーが携帯電話機から受信した新文字コードダウンロード要求用データを処理し、そのダウンロード要求用データの処理結果を携帯電話機に送信するようにしたからである。
【００３５】
第２の効果は、ユーザは、特定な文字コード以外のホームページを表示するとき、そのホームページの文字コードがすでに携帯電話機にある文字コードである場合は、手動で携帯電話機の文字コードの設定を変更する必要がなく、携帯電話機にある適当な文字コードを選択してホームページを表示することができることである。
【００３６】
その理由は、ホームページ提供者サーバーへアクセスするとき、携帯電話機が受信したホームページデータに対し、ホームページ文字コードの自動判定を行うようにしたからである。第３の効果は、ユーザが手持ちの携帯電話機に、常に最新かつ必要な文字コードを持つことができる。その理由は、ユーザが新文字コードをダウンロードする前に、携帯電話機がメモリ空き容量の確認を行い、そして、不必要な文字コードを削除できるようにしたからである。
【発明を実施するための最良の形態】
【００３７】
以下、図面を参照して本発明を実施するための最良の形態について詳細に説明する。
本発明に実施の形態について、図面を参照して詳細に説明する。
【００３８】
図１は、本発明の実施の形態の構成を示す図である。
【００３９】
図１を参照すると、本発明の実施の形態は、携帯電話機１０と、公衆無線通信網２０と、それにつながるインターネット３０と、これに接続されるホームページ提供者サーバー４０および文字コード提供者サーバー５０と、を備えている。なお、図１において、インターネット３０で図示されている通信網は、インターネット以外の通信網でもよい。
【００４０】
携帯電話機１０は、公衆無線通信網２０を介してインターネット３０に接続する手段を有する携帯電話装置である。そして、携帯電話機１０は、インターネット３０を介してホームページ提供者サーバー４０および文字コード提供者サーバー５０にアクセスし、ホームページ提供者サーバー４０および文字コード提供者サーバー５０が開設しているホームページとホームページ情報または新文字コードダウンロード情報をやり取りし画面に表示する手段を有する。また、ユーザが手持ちの携帯電話機１０よりホームページ提供者サーバー４０へアクセスするとき、ホームページ提供者サーバー４０へアクセス用データを送信する手段と、ホームページ提供者サーバー４０からホームページデータを受信し携帯電話機１０のホームページ文字コードの自動判定を行う手段と、携帯電話機１０のホームページ文字コードの自動判定がＯＫ（「ＯＫ/ＮＧ」はそれぞれ自動判定結果「成功/不成功」を意味する。以下同様。）の場合に携帯電話機１０にすでにある文字コードかどうかの自動認識を行う手段と、携帯電話機１０にない文字コードと判断された場合に携帯電話機１０がユーザに新文字コードをダウンロードするかどうかの選択画面を提供する手段と、ユーザが携帯電話機１０に新文字コードをダウンロードすることを選択した場合に携帯電話機１０がメモリ空き容量の確認を行い、そして、メモリ空き容量が十分ではない場合に携帯電話機１０がユーザに必要な空きメモリ容量を確保するために既存文字コードの一部を削除するかどうかの選択画面を提供する手段と、ユーザが携帯電話機１０に既存文字コードの一部を削除することを選択した場合に携帯電話機１０の所持者の操作により必要な空きメモリ容量を確保するまで既存文字コードの中から不必要な文字コードを削除する手段と、携帯電話機１０は、新文字コードをダウンロードするために必要な空きメモリ容量を確保してから文字コード提供者サーバー５０へ新文字コードダウンロード要求用データを送信する手段と、文字コード提供者サーバー５０からダウンロード要求用データ処理結果を受信し携帯電話機１０の新文字コードのダウンロードを行う手段と、携帯電話機１０の新文字コードのダウンロードがＯＫ（「ＯＫ/ＮＧ」はそれぞれダウンロード結果「成功/不成功」を意味する。以下同様。）の場合に携帯電話機１０の既存文字コード（ダウンロードされた新文字コードを含む）の中に最も適当な文字コード（この場合は携帯電話機がダウンロードされた新文字コードを選択する。）でホームページを表示する手段を有する。
【００４１】
ホームページ提供者サーバー４０は、携帯電話機１０から受け取ったホームページへアクセス用データを受信し、ホームページデータ処理を行ったあと、生成されたホームページデータをインターネット３０を介して携帯電話機１０に送信する手段を有する。
【００４２】
文字コード提供者サーバー５０は、ホームページを開設し、携帯電話機１０の所持者がいつでも利用できる文字コードデータの登録および携帯電話機１０の所持者からの新文字コードダウンロード要求に応じて必要な文字コードデータの提供を行う文字コードデータ管理・蓄積手段を有する。また、携帯電話機１０から受け取った新文字コードダウンロード要求用データを処理して、生成されたダウンロード要求用データ処理結果をインターネット３０を介して携帯電話機１０に送信する手段を有する。
【００４３】
次に、本発明の実施形態の動作について、図１〜図５を参照して詳細に説明する。
【００４４】
図２は、本発明の実施形態の全体の動作を示すフローチャート図である。図３は、ホームページデータ取得処理手順を示すシーケンス図である。図４は、ホームページ文字コードの自動判定の動作を示すフローチャート図である。図５は、新文字コードダウンロード処理手順を示すシーケンス図である。
【００４５】
図２を参照すると、ホームページを見たい場合は、いつでも、どこでも、携帯電話機１０を持つユーザが、公衆無線通信網２０を介して、インターネット３０とつながっているホームページ提供者サーバー４０にアクセスする（ステップＡ１）。
【００４６】
そして、図３に示すホームページデータ取得処理手順に基づき、ホームページデータ取得処理を行う。その詳細は以下のようである。
【００４７】
図３を参照すると、携帯電話機１０を持つユーザが、ホームページ提供者サーバー４０へアクセスするとき、携帯電話機１０からのホームページへアクセス用データは、公衆無線通信網２０を介して、インターネット３０とつながっているホームページ提供者サーバー４０に送信する（ステップＢ１）。ホームページ提供者サーバー４０は、ホームページへアクセス用データを受信する（ステップＢ２）。そして、そのデータを処理し、送信用ホームページデータを作成する（ステップＢ３）。その作成されたホームページデータをインターネット３０を介して携帯電話機１０に送信する（ステップＢ４）。携帯電話機１０は、ホームページデータを受信する（ステップＢ５）。そして、携帯電話機１０は、図４に示すホームページ文字コードの自動判定の処理手順に基づき、ホームページ文字コードの自動判定を行う（ステップＡ２）。その詳細は以下のようである。
【００４８】
図４を参照すると、まずは、ホームページ文字コードの宣言による判定を行う（ステップＣ１)。
【００４９】
自動判定がＮＧの場合は、次は、エスケープシーケンスによる判定を行う（ステップＣ２）。
【００５０】
自動判定がＮＧの場合は、次は、上記以外の方法（例えば、上位ビットを立てることによる判定方法等）による判定を行う（ステップＣ３）。
【００５１】
そして、その自動判定結果がＯＫの場合は、その文字コードが携帯電話機１０にすでにある文字コードかどうかの自動認識を行う（ステップＡ３）。
【００５２】
携帯電話機１０にない文字コードと判断された場合に、携帯電話機１０がユーザに新文字コードをダウンロードするかどうかの選択画面を提供する（ステップＡ４）。
【００５３】
ユーザが携帯電話機１０に新文字コードをダウンロードすることを選択した場合に携帯電話機１０がメモリ空き容量の確認を行い（ステップＡ５）、そして、メモリ空き容量が、前記新文字コードを記憶するために必要なメモリ容量未満である場合に携帯電話機１０がユーザに必要な空きメモリ容量が確保するために既存文字コードの一部を削除するかどうかの選択画面を提供する（ステップＡ６）。
【００５４】
ユーザが携帯電話機１０に既存文字コードの一部を削除することを選択した場合に携帯電話機１０の所持者の操作により新文字コードを記憶するために必要な空きメモリ容量を確保できるまで既存文字コードの中から不必要な文字コードを削除する。携帯電話機１０は、新文字コードをダウンロードするために必要な空きメモリ容量を確保して、図５に示す新文字コードダウンロードの処理手順に基づき、新文字コードのダウンロード処理を行う（ステップＡ７）。その詳細は以下のようである。
【００５５】
図５を参照すると、携帯電話機１０からの新文字コードダウンロード要求用データは、公衆無線通信網２０を介して、インターネット３０とつながっている文字コード提供者サーバー５０に送信する（ステップＤ１）。文字コード提供者サーバー５０は、新文字コードダウンロード要求用データを受信する（ステップＤ２）。そして、そのデータを処理し、送信用ダウンロード要求用データ処理結果を作成する（ステップＤ３）。その作成されたダウンロード要求用データ処理結果をインターネット３０を介して携帯電話機１０に送信する（ステップＤ４）。携帯電話機１０は、ダウンロード要求用データ処理結果を受信する（ステップＤ５）。そして、携帯電話機１０の新文字コードのダウンロードがＯＫの場合に携帯電話機１０の既存文字コード（ダウンロードされた新文字コードを含む）の中に最も適当な文字コード（この場合は携帯電話機がダウンロードされた新文字コードを選択する。）でホームページを表示する（ステップＡ８）。また、ホームページが表示されたあと、正常に表示されていないと判断された場合（ステップＡ９）は、携帯電話機１０を持つユーザは、ホームページ内容の再表示を行いたいとき、ホームページ提供者サーバー４０へ再アクセスすることができる（ステップＡ１０）。
【００５６】
携帯電話機１０を持つユーザは、いつでも、どこでも、携帯電話機１０からインターネット３０を介して文字コード提供者サーバー５０へアクセスし、必要な新文字コード関連情報を収集、確認することができる。また、すでにダウンロード済みの文字コードに関しては、ユーザが必要に応じて簡単に削除することも可能である。
【００５７】
本発明による上述した実施の形態において、携帯電話機を利用した自動文字コード認識、表示システムの処理動作を実行するためのプログラム等を、データとしてコンピュータの磁気ディスクや光ディスク等の記録媒体（図示せず）に記録するようにし、記録されたデータを携帯電話機に実装して携帯電話機を利用した自動文字コード認識、表示システムを動作させるために用いる。
【００５８】
このように、本発明による携帯電話機を利用した自動文字コード認識、表示システムを動作させるデータを記録媒体に記録させ、この記録媒体のデータを携帯電話機に実装することにより携帯電話機を利用した自動文字コード認識、表示システムの機能が実現できるようになる。
【産業上の利用可能性】
【００５９】
本発明は、携帯電話機でホームページを表示するために利用することができる。
【図面の簡単な説明】
【００６０】
【図１】本発明の実施の形態の構成を示す図
【図２】本発明の実施形態の全体の動作を示すフローチャート図
【図３】ホームページデータ取得処理手順を示すシーケンス図
【図４】ホームページ文字コードの自動判定の動作を示すフローチャート図
【図５】新文字コードダウンロード処理手順を示すシーケンス図
【符号の説明】
【００６１】
１０  携帯電話機
２０  公衆無線通信網
３０  インターネット
４０  ホームページ提供者サーバー
５０  文字コード提供者サーバー
【図１】
0004778202.tif 000002
【図２】
0004778202.tif 000003
【図３】
0004778202.tif 000004
【図４】
0004778202.tif 000005
【図５】
0004778202.tif 000006